(57)【特許請求の範囲】
【請求項１】
枢軸を固着するか、或いは枢軸に軸支されて開閉可能であり、人が出入りする出入口或いは各種の原料、製品、廃棄物等を投入する投入口に設けられる開閉蓋であって、上記枢軸、或いは開閉蓋と一体をなして枢軸に軸承される軸受に操作ロッドを枢軸の径方向に着脱可能に連結する連結部を設けたことを特徴とする開閉蓋。
【請求項２】
枢軸を固着するか、或いは枢軸に軸支されて開閉可能であり、人が出入りする出入口或いは各種の原料、製品、廃棄物等を投入する投入口に設けられる開閉蓋であって、上記枢軸と歯車、ベルト或いはチェーン伝動機構を介して連結され、枢軸と連動して回転する操作軸と、該操作軸に設けられ、操作ロッドを操作軸の径方向に着脱可能に連結する連結部よりなることを特徴とする開閉蓋。
【請求項３】
開閉蓋を開く方向に作用する板バネを設けるか或いは枢軸に開閉蓋を開く方向に作用するつる巻バネを設ける請求項１又は２記載の開閉蓋。
【発明の詳細な説明】
【０００１】
【発明が属する技術分野】
本発明は、人が出入りする出入口或いは各種の原料、製品、廃棄物等を投入する投入口に設けられ、開閉が容易にできる開閉蓋に関する。
【０００２】
【従来技術】
開閉蓋が設置される箇所の一例に雪国における排雪施設として道路下に配設される流雪溝や貯雪溝への投雪口がある。すなわち雪国では除雪車により除雪されて道路脇に堆積する雪、屋根から降ろされて軒下に堆積する雪、その他道路等上の積雪を除排雪するための施設として道路下に暗渠状の流雪溝や貯雪溝が設けてあり、これら排雪施設には道路脇に道路に沿い適宜の間隔を存して開閉蓋を備えた投雪口が設けられている。そして除排雪時には開閉蓋を開けて周囲より掻き集めた雪を投雪口より投入し、河川より導入した河川水や家庭から排出される温排水を利用して流すか、或いは自然溶解させて流している。
【０００３】
こうした流雪溝は通常、主要道路下に設置されているが、主要道路には重量のある大型車両も通行するため蓋にはかなりな剛性が必要とされ、そのため蓋の重量が大となって開閉が困難となっている。特開平８−６８１０１号には、蓋の開閉を容易にするために蓋の開閉に連動して昇降するバランスウェイト付アームを設けたものが開示されている。
【０００４】
【発明が解決しようとする課題】
上述のバランスウェイト付アームを備えた開閉蓋では大きな力を要さず、軽快に開閉できる利点があるが、バランスウェイト付きアームや蓋の枢軸とアームの枢軸を連結する歯車伝動機構などが必要で、構造が複雑である。本発明は、構造が上述する従来のものよりも簡単で、開閉も小さな力で容易に行えるような開閉蓋を提供することを目的とする。
【０００５】
【課題の解決手段】
請求項１記載の発明は、枢軸を固着するか、或いは枢軸に軸支されて開閉可能であり、人が出入りする出入口或いは各種の原料、製品、廃棄物等を投入する投入口に設けられる開閉蓋であって、上記枢軸、或いは開閉蓋と一体をなして枢軸に軸承される軸受に操作ロッドを枢軸の径方向に着脱可能に連結する連結部を設けたことを特徴とする。
【０００６】
本発明によると、蓋の開閉は操作ロッドを連結部に連結したのち操作ロッドを倍力機構、すなわち梃子の作用で持上げ、或いは降ろすことにより行われる。
請求項２記載の発明は、枢軸を固着するか、或いは枢軸に軸支されて開閉可能であり、人が出入りする出入口或いは各種の原料、製品、廃棄物等を投入する投入口に設けられる開閉蓋であって、上記枢軸と歯車、ベルト或いはチェーン伝動機構を介して連結され、枢軸と連動して回転する操作軸と、該操作軸に設けられ、操作ロッドを操作軸の径方向に着脱可能に連結する連結部よりなることを特徴とする。
【０００７】
本発明による場合も請求項１記載の発明と同様、蓋の開閉は操作ロッドを連結部に連結したのち、操作ロッドを梃子の作用で上げ下げすることにより行われる。
操作ロッドの回動量は請求項１記載の発明の開閉蓋では、該蓋と同一量となるが、請求項２記載の発明では、枢軸と操作軸にそれぞれ固着される歯車、プーリ或いはスプロケット（以下、単に歯車等という）の径を変えることにより開閉蓋の回動量を変えることができる。すなわち操作軸に固着の歯車等の径を枢軸に固着の歯車等の径より大きくすると、開閉蓋を一定角度回動するために要する操作ロッドの回動量を少なくすることができ、逆に操作軸側の歯車等の径を小さくすると、操作ロッドの回動量が多くなり、操作ロッドを比較的小さな力で操作できるようになる。
【０００８】
請求項１及び２記載の発明の連結部としては、例えば枢軸或いはその軸受より径方向に突設されるピン、枢軸又は軸受或いはその両者に径方向に形成される嵌挿孔、嵌挿溝、凸部などが例示される。こうした連結部に連結される操作ロッドとしては、ピンに嵌合するパイプ、嵌挿孔、嵌挿溝に嵌挿されるロッド、凸部に嵌合する二又ロッド等が例示される。
【０００９】
請求項３記載の発明は、上記請求項１又は２記載の発明において、開閉蓋に固定されて開閉蓋を常には開く方向に付勢する板バネを設けるか、或いは開閉蓋を開く方向に作用するつる巻きバネを装着することを特徴とする。本発明で用いられ板バネやつる巻バネのバネ力は開閉蓋が自重によって常に閉じた状態となる程度の大きさにする必要がある。これにより開閉蓋は常には板バネやつる巻バネのバネ力によって打勝って閉じた状態に維持されるようになり、開閉時には板バネやつる巻バネの作用で開閉蓋をより軽く開閉できるようになる。
【００１０】
【発明の実施の形態】
図１は投雪口に設けられる開閉蓋を示すもので、取付枠１と、取付枠内に装着される溝蓋２よりなり、溝蓋２はベアリングバー２ａとツイストバー２ｂよりなって、その一側端の下面に枢軸３が固着され、その突出端部が取付枠１に軸支されて上下に開閉可能に支持されている。そして溝蓋２のコーナ部４が欠落され、欠落部分の枢軸３に溝蓋２を押し上げる方向に作用するつる巻きバネ５が装着されている。このつる巻きバネ５のバネ力は溝蓋２の自重に打勝つ程大きくはなく、したがって溝蓋２は閉じた状態でも浮き上がることはない。
【００１１】
枢軸３に固着の大径のスプロケット７と、取付枠１に軸支される小径のスプロケット８との間には無端チェーン９が掛け渡され、スプロケット８を回動すると、無端チェーン９を介してスプロケット７、枢軸３及び溝蓋２が一体となって回動するようになっており、スプロケット８と一体をなす操作軸１１には連結部としてのピン１２が径方向に突設されている。図中、１３は取付枠１に軸支されて開閉可能なスプロケット８上を覆う蓋であり、１４は溝蓋２の表面を覆うカバーである。
【００１２】
本実施形態の開閉蓋は以上のように構成され、溝蓋２を開けるときには、蓋１３を開けたのち図２に示すパイプ状の操作ロッド１５をピン１２に差込む。そして操作ロッド１５を図２の実線位置より持上げて回動し、一点鎖線位置に倒す。操作ロッド１５の反時計方向への回動により両スプロケット７、８が同方向に回動して溝蓋２を開く。
図２は操作ロッド１５を実線位置より一点鎖線位置まで回動したとき、溝蓋２が実線位置まで回動する態様を示す。操作ロッド１５の回動量は溝蓋２の回動量より多いが、これはスプロケット８の径がスプロケット７の径より小さいためである。スプロケット８の径を逆にスプロケット７の径より大きくすると、溝蓋２の回動量より少なくなる。
【００１３】
操作ロッド１５の回動量を溝蓋２より多くした前者の場合、操作ロッド１５の回動操作が軽快に行える反面、溝蓋２を開くのに要する回動量が多くなる。一方、操作ロッド１５の回動量を溝蓋２より少なくした後者の場合、操作ロッド１５の回動量は少なくなるが、回動操作は重くなる。本実施形態による場合、溝蓋２を開くのに要する操作ロッド１５を操作するための力Ｆ1 は、図３及び図４に示すようにスプロケット７及び８の径をそれぞれｒ1 及びｒ2 とし、溝蓋２の枢軸からの巾（長さ）をＬ、操作ロッド１５の長さをｌ1 、溝蓋の自重をＷ、チェーンの引張力をＰとすると、
Ｐｒ1 ＝１／２・Ｗ・Ｌ
Ｐｒ2 ＝Ｆ1 ・ｌ1
より
【００１４】
【数１】
0003897892.tif 000002
となり、ｒ1 ＞ｒ2 、ｌ1＞Ｌとすると、Ｆ1 ＜Ｗとなり、小さな力Ｆ1 で溝蓋２の開閉が行えるようになる。
【００１５】
上記実施形態では、枢軸とは別に操作軸を設けて、該操作軸にピンを突設しているが、別の実施形態では枢軸にピンが突設され、ピンに操作ロッドを差込むことにより枢軸が直接回動操作される。この場合、操作ロッドの回動量と溝蓋の回動量が一致する。そして開閉蓋を開くのに要する操作ロッド１５を操作するための力Ｆ1 は、図４に示すように、溝蓋２の枢軸からの巾（長さ）をＬ、操作ロッド１５の長さをｌ2 、溝蓋の自重をＷとすると、
【００１６】
【数２】
0003897892.tif 000003
となる。
【００１７】
【発明の効果】
請求項１記載の発明によると、操作ロッドを枢軸又は軸受の連結部に連結して上げ下げすることにより梃子の作用で溝蓋を軽く開閉することができる。
請求項２記載の発明によると、操作ロッドを操作軸の連結部に連結して上げ下げすることにより梃子の作用で溝蓋を軽く開閉することが可能であり、また枢軸又は軸受に固着の歯車等と操作軸に固着の歯車等の径を変えることにより、溝蓋を開くための操作ロッドの回動量を変えられ、操作ロッドの回動量を多くすることにより操作ロッドの操作をより軽快に行うことができる。また更に操作軸は操作し易い位置に設けることが可能であり、任意の位置に設けることが可能であることから設計上の自由度も増す。
【００１８】
請求項３記載の発明によると、溝蓋をより軽い力で開くことができる。
【図面の簡単な説明】
【図１】本発明に係わる開閉蓋の平面図
【図２】開閉蓋を開閉するときの態様を示す図
【図３】作用説明図
【図４】別の実施形態の作用説明図
【符号の説明】
１、２１・・取付枠
２、２３・・溝蓋
３・・枢軸
４・・コーナ部
５・・つる巻バネ
７、８・・スプロケット
９・・無端チェーン
１１・・操作軸
１２・・ピン
１３・・蓋
１４・・カバー
１５・・操作ロッド
【図１】
0003897892.tif 000004
【図２】
0003897892.tif 000005
【図３】
0003897892.tif 000006
【図４】
0003897892.tif 000007